(57)【要約】【課題】光記録媒体に複数の光ビームを入射させて情報の記録もしくは情報の再生を行うにあたり、複数の光学手段の位置関係についての設定及び維持における困難さを軽減でき、複数の光ビームの利用率の改善を図れるものとする。【解決手段】レーザ光源２１と、光学系２２及び４５と、複数の反射型光変調器が線状に配列配置されて成る一次元光変調部２３と、複数の反射型光変調器に記録されるべき情報に基づく変調制御信号を供給する変調制御信号送出部３５とを備え、レーザ光源２１からのレーザ光ビームを一次元光変調部２３に入射させて、一次元光変調部２３から得られる、変調制御信号に応じて変調されて、線状に配列配置された複数の変調レーザ光ビームを、光テープ４７に隣り合う二つが近接もしくは相互接触する状態として入射させ、光テープ４７に記録されるべき情報の記録が行われる状態となす。【選択図】　　　　図１
2004054982.tif 000002
【特許請求の範囲】
【請求項１】
光記録媒体を駆動する記録媒体駆動制御部と、
光ビームを発する光源部と、
複数の光変調手段が線状に配列配置されて成る一次元光変調部と、
上記光源部からの光ビームを上記一次元光変調部に入射させる第１の光学系と、
上記一次元光変調部の複数の光変調手段に、記録されるべき情報に基づく変調制御信号を供給する変調制御信号送出部と、
上記一次元光変調部により得られる、上記変調制御信号に応じて変調され、上記複数の光変調手段の配列配置に応じて配列配置された複数の光ビームを、上記記録媒体駆動制御部により駆動される光記録媒体に、隣り合う二つが近接もしくは相互接触する状態として入射させ、該光記録媒体に上記記録されるべき情報の記録が行われる状態となす第２の光学系と、
を備えて構成される情報記録装置。
【請求項２】
変調制御信号送出部が、一次元光変調部の複数の光変調手段の夫々に個別の変調制御信号を供給することを特徴とする請求項１記載の情報記録装置。
【請求項３】
第１の光学系が、光源部からの光ビームを、一次元光変調部を形成する複数の光変調手段の配列配置方向に沿う方向に伸びる細長い断面形状を有するものとして、上記一次元光変調部に入射させることを特徴とする請求項１記載の情報記録装置。
【請求項４】
第１の光学系が、光源部からの光ビームが入射し、該光源部からの光ビームに細長い断面形状を与えるシリンドリカルレンズと、該シリンドリカルレンズを通じた光ビームを一次元光変調部に集光させる集光レンズとを含んで構成されることを特徴とする請求項３記載の情報記録装置。
【請求項５】
光源部が、線状に配列配置された複数の光ビームを発するものとされ、第１の光学系が、上記光源部からの複数の光ビームを一次元光変調部の複数の光変調手段に入射させることを特徴とする請求項１記載の情報記録装置。
【請求項６】
光源部が、複数の発光ダイオードが線状に配列配置されて成る一次元ダイオードアレイによって構成されることを特徴とする請求項５記載の情報記録装置。
【請求項７】
一次元光変調部の複数の光変調手段が、反射型の光変調器によって構成され、第１の光学系が、光源部からの光ビームを上記反射型の光変調器に入射させることを特徴とする請求項１記載の情報記録装置。
【請求項８】
一次元光変調部の複数の光変調手段の夫々を構成する反射型の光変調器が、変調制御信号送出部から供給される変調制御信号に応じて反射光量を変化させることを特徴とする請求項７記載の情報記録装置。
【請求項９】
記録媒体駆動制御部によって駆動される光記録媒体が、走行するテープ状光記録媒体とされ、第２の光学系が、一次元光変調部により得られる複数の光ビームを、上記テープ状光記録媒体に、上記複数の光ビームの配列配置方向が上記テープ状光記録媒体の走行方向に対して所定の角度をなす状態として入射させることを特徴とする請求項１記載の情報記録装置。
【請求項１０】
第２の光学系によりテープ状光記録媒体に入射せしめられる複数の光ビームの配列配置方向が上記テープ状光記録媒体の走行方向に対して実質的に直交する状態とされることを特徴とする請求項９記載の情報記録装置。
【請求項１１】
光記録媒体を駆動する記録媒体駆動制御部と、
光ビームを発する第１の光源部と、
複数の光変調手段が線状に配列配置されて成る一次元光変調部と、
上記第１の光源部からの光ビームを上記一次元光変調部に入射させる第１の光学系と、
上記一次元光変調部の複数の光変調手段に、記録されるべき情報に基づく変調制御信号を供給する変調制御信号送出部と、
上記一次元光変調部により得られる、上記変調制御信号に応じて変調され、上記複数の光変調手段の配列配置に応じて配列配置された複数の光ビームを、上記記録媒体駆動制御部により駆動される光記録媒体に、隣り合う二つが近接もしくは相互接触する状態として入射させ、該光記録媒体に上記記録されるべき情報の記録が行われる状態となす第２の光学系と、
光ビームを発する第２の光源部と、
該第２の光源部からの光ビームを上記記録媒体駆動制御部により駆動される光記録媒体に入射させて、該光記録媒体に記録された情報に応じて変調された光ビームが上記光記録媒体から得られる状態となす第３の光学系と、
入射する光ビームの変化に応じて変化する出力信号を発生する光検出部と、
上記第２の光源部からの光ビームが入射する上記光記録媒体から得られる光ビームを上記光検出部に入射させる第４の光学系と、
上記光検出部から得られる出力信号に基づいて上記光記録媒体に記録された情報を再生する情報再生部と、
を備えて構成される情報記録再生装置。
【請求項１２】
第２の光源部が、実質的に共通面内に配列配置される複数の光ビームを発することを特徴とする請求項１１記載の情報記録再生装置。
【請求項１３】
光記録媒体を駆動する記録媒体駆動制御部と、
光ビームを発する光源部と、
該光源部からの光ビームが入射する偏光ビームスプリッタと、
複数の反射型光変調手段が線状に配列配置されて成る一次元光変調部と、
上記偏光ビームスプリッタにおいて反射した上記光源部からの光ビームを上記一次元光変調部に入射させる第１の光学系と、
上記一次元光変調部の複数の反射型光変調手段に、記録されるべき情報に基づく変調制御信号もしくは予め設定された変調制御信号を供給する変調制御信号送出部と、
上記複数の反射型光変調手段において上記変調制御信号に応じて変調されるとともに反射して、もしくは、変調されることなく反射して得られ、上記複数の反射型光変調手段の配列配置に応じて配列配置されて、上記第１の光学系及び上記偏光ビームスプリッタを透過する複数の光ビームを、上記記録媒体駆動制御部により駆動される光記録媒体に、隣り合う二つが近接もしくは相互接触する状態として入射させ、該光記録媒体に上記記録されるべき情報の記録が行われる状態、もしくは、該光記録媒体に記録された情報に応じて変調された複数の光ビームが上記光記録媒体から得られる状態となす第２の光学系と、
入射する光ビームの変化に応じて変化する出力信号を発生する光検出部と、
上記記録媒体駆動制御部により駆動される光記録媒体から得られ、上記偏光ビームスプリッタにおいて反射した複数の光ビームを、上記光検出部に入射させる第３の光学系と、
上記光検出部から得られる出力信号に基づいて上記光記録媒体に記録された情報を再生する情報再生部と、
を備えて構成される情報記録再生装置。
【請求項１４】
第２の光学系が、記録媒体駆動制御部により駆動される光記録媒体に入射する複数の光ビームについてのフォーカス制御及びトラッキング制御を行う光ビーム制御手段を含んで構成されることを特徴とする請求項１３記載の情報記録再生装置。
【請求項１５】
記録媒体駆動制御部により駆動される光記録媒体からの光ビームを受け、該光ビームに応じて、上記光記録媒体に入射する光ビームのフォーカス状態及びトラッキング状態の一方もしくは両方をあらわす出力信号を得る、フォーカス・トラッキング検出部を備え、第３の光学系が、上記記録媒体駆動制御部により駆動される光記録媒体から得られ、偏光ビームスプリッタにおいて反射した複数の光ビームを、光検出部と上記フォーカス・トラッキング検出部との両者に入射させる光ビームスプリッタを含んで構成されることを特徴とする請求項１４記載の情報記録再生装置。
【請求項１６】
光記録媒体を駆動する記録媒体駆動制御部と、
光ビームを発する光源部と、
該光源部からの光ビームが入射する偏光ビームスプリッタと、
複数の反射型光変調手段が線状に配列配置されて成る一次元光変調部と、
上記偏光ビームスプリッタを透過した上記光源部からの光ビームを上記一次元光変調部に入射させる第１の光学系と、
上記一次元光変調部の複数の反射型光変調手段に、記録されるべき情報に基づく変調制御信号もしくは予め設定された変調制御信号を供給する変調制御信号送出部と、
上記複数の反射型光変調手段において上記変調制御信号に応じて変調されるとともに反射して、もしくは、変調されることなく反射して得られ、上記複数の反射型光変調手段の配列配置に応じて配列配置されて、上記第１の光学系を透過して上記偏光ビームスプリッタにおいて反射した複数の光ビームを、上記記録媒体駆動制御部により駆動される光記録媒体に、隣り合う二つが近接もしくは相互接触する状態として入射させ、該光記録媒体に上記記録されるべき情報の記録が行われる状態、もしくは、該光記録媒体に記録された情報に応じて変調された複数の光ビームが上記光記録媒体から得られる状態となす第２の光学系と、
入射する光ビームの変化に応じて変化する出力信号を発生する光検出部と、
上記記録媒体駆動制御部により駆動される光記録媒体から得られ、上記偏光ビームスプリッタを透過した複数の光ビームを、上記光検出部に入射させる第３の光学系と、
上記光検出部から得られる出力信号に基づいて上記光記録媒体に記録された情報を再生する情報再生部と、
を備えて構成される情報記録再生装置。
【請求項１７】
第２の光学系が、記録媒体駆動制御部により駆動される光記録媒体に入射する複数の光ビームについてのフォーカス制御及びトラッキング制御を行う光ビーム制御手段を含んで構成されることを特徴とする請求項１６記載の情報記録再生装置。
【請求項１８】
記録媒体駆動制御部により駆動される光記録媒体からの光ビームを受け、該光ビームに応じて、上記光記録媒体に入射する光ビームのフォーカス状態及びトラッキング状態の一方もしくは両方をあらわす出力信号を得る、フォーカス・トラッキング検出部を備え、第３の光学系が、上記記録媒体駆動制御部により駆動される光記録媒体から得られ、偏光ビームスプリッタを透過した複数の光ビームを、光検出部と上記フォーカス・トラッキング検出部との両者に入射させる光ビームスプリッタを含んで構成されることを特徴とする請求項１７記載の情報記録再生装置。
【請求項１９】
光記録媒体を駆動する記録媒体駆動制御部と、
光ビームを発する光源部と、
複数の反射型光変調手段が線状に配列配置されて成る一次元光変調部と、
上記光源部からの光ビームを上記一次元光変調部に入射させる第１の光学系と、
上記一次元光変調部の複数の反射型光変調手段に、記録されるべき情報に基づく変調制御信号もしくは予め設定された変調制御信号を供給する変調制御信号送出部と、
上記複数の反射型光変調手段において上記変調制御信号に応じて変調されるとともに反射して、もしくは、変調されることなく反射して得られ、上記複数の反射型光変調手段の配列配置に応じて配列配置される複数の光ビームを、上記記録媒体駆動制御部により駆動される光記録媒体に、隣り合う二つが近接もしくは相互接触する状態として入射させ、該光記録媒体に上記記録されるべき情報の記録が行われる状態、もしくは、該記録媒体に記録された情報に応じて変調された複数の光ビームが上記光記録媒体から得られる状態となす、偏光ビームスプリッタを含んだ第２の光学系と、
入射する光ビームの変化に応じて変化する出力信号を発生する光検出部と、
上記記録媒体駆動制御部により駆動される光記録媒体から得られ、上記第２の光学系に含まれた上記偏光ビームスプリッタを経た複数の光ビームを、上記光検出部に入射させる第３の光学系と、
上記光検出部から得られる出力信号に基づいて上記光記録媒体に記録された情報を再生する情報再生部と、
を備えて構成される情報記録再生装置。
【請求項２０】
第２の光学系が、偏光ビームスプリッタに加えて、記録媒体駆動制御部により駆動される光記録媒体に入射する複数の光ビームについてのフォーカス制御及びトラッキング制御を行う光ビーム制御手段を含んで構成されることを特徴とする請求項１９記載の情報記録再生装置。
【請求項２１】
記録媒体駆動制御部により駆動される光記録媒体からの光ビームを受け、該光ビームに応じて、上記光記録媒体に入射する光ビームのフォーカス状態及びトラッキング状態の一方もしくは両方をあらわす出力信号を得る、フォーカス・トラッキング検出部を備え、第３の光学系が、上記記録媒体駆動制御部により駆動される光記録媒体から得られ、偏光ビームスプリッタを経た複数の光ビームを、光検出部と上記フォーカス・トラッキング検出部との両者に入射させる光ビームスプリッタを含んで構成されることを特徴とする請求項２０記載の情報記録再生装置。
【発明の詳細な説明】
【０００１】
【発明の属する技術分野】
本願の特許請求の範囲に記載された発明は、光記録媒体に記録されるべき情報に応じて変調された光ビームを入射させて、光記録媒体に記録されるべき情報が記録される状態を得る情報記録装置、及び、光記録媒体に記録されるべき情報に応じて変調された光ビームを入射させて、光記録媒体に記録されるべき情報が記録される状態と、情報が記録された光記録媒体に光ビームを入射させて、光記録媒体に記録された情報に応じて変調された光ビームが光記録媒体から得られ、それらに基づいて情報が再生される状態とを得る情報記録再生装置に関する。
【０００２】
【従来の技術】
記録媒体への情報の記録及び情報が記録された記録媒体からの情報の再生に関わる分野においては、例えば、比較的小規模な記録再生手段を用いての動画像データの記録及び再生が望まれるようになってきた環境にあって、記録媒体に対する情報の高密度記録化、記録もしくは再生情報の高転送レート化（高速化）等が、従前以上に求められている。こうしたもとで、情報の高密度記録化及び記録もしくは再生情報の高転送レート化の要求を満たすべく、光を用いての情報記録が可能とされた光記録媒体に、複数の光ビームを入射させて情報の記録さらには再生を行う、マルチビーム記録／再生技術が提案されている。
【０００３】
マルチビーム記録／再生技術にあっては、情報の記録さらには再生にレーザー光ビーム等の光ビームが用いられることにより情報の高密度記録化が図られ、また、情報の記録さらには再生に用いられる光ビームが互いに独立した複数ビームとされることにより、記録もしくは再生情報の高転送レート化が図られる。こうしたマルチビーム記録／再生技術が適用された情報記録再生装置の一つとして、光記録媒体としてテープ状を成すもの、即ち、光テープを用いる光テープ記録再生装置が、従来知られている（例えば、“Ｎｏｖｅｌ　ｄｉｇｉｔａｌ　ｏｐｔｉｃａｌ　ｔａｐｅ　ｒｅｃｏｒｄｅｒ”，　Ｏａｋｌｅｙ，　Ｗｉｌｌｉａｍ　Ｓ．；ＡＡ（ＬａｓｅｒＴａｐｅ　Ｉｎｃ．）　Ｐｕｂｌｉｃａｔｉｏｎ　：　Ｐｒｏｃ．　ＳＰＩＥ　Ｖｏｌ．　２６０４，　ｐ．　２５６−２６２，　参照）。
【０００４】
図１５は、従来提案されている光テープ記録再生装置の一例の要部を示す。この図１５に示される光テープ記録再生装置にあっては、単一のレーザ光ビームを平行光ビームとして連続的に発するレーザ光源１が備えられている。レーザ光源１から発せられたレーザ光ビームは、ビーム形成ホログラム２に入射する。
【０００５】
ビーム形成ホログラム２にあっては、レーザ光源１から発せられた平行光ビームである単一のレーザ光ビームが、各々が平行光ビームを成す複数のレーザ光ビームに分割される。即ち、ビーム形成ホログラム２は、単一の平行光ビームから複数の平行光ビームを分割形成するのである。
【０００６】
ビーム形成ホログラム２から得られる複数のレーザ光ビームは、偏光ビームスプリッタ３に入射し、偏光ビームスプリッタ３において図１５における下方に向かって反射し、１／４波長板４を通過して、集光レンズ５に入射する。集光レンズ５は、１／４波長板４を通過した複数のレーザ光ビームを、二次元光変調部６に集光入射させる。
【０００７】
二次元光変調部６は、共通平面部に複数の反射型光変調器が所定の相互間隔をおいて二次元的に配列配置されたものとされる。集光レンズ５からの複数のレーザ光ビームは、二次元光変調部６における共通平面部に、図１６に示される如くの二次元的に配列配置された複数の光スポットＰを形成するものとされる。図１６に示される光スポットＰは、その個数が８×８＝６４個とされる場合である。斯かる場合には、二次元光変調部６に二次元的に配列配置された６４本のレーザ光ビームが入射することになる。
【０００８】
二次元光変調部６の共通平面部に二次元的に配列配置された複数の反射型光変調器は、二次元光変調部６に入射する複数のレーザ光ビームが二次元光変調部６の共通平面部に形成する複数の光スポットＰに夫々対応する位置をとるものとされる。図１７は、二次元光変調部６における複数の反射型光変調器の配列配置状態の一例を示し、ここでは、複数の反射型光変調器の夫々がＬＭという符号が付された矩形部分とされている。そして、各反射型光変調器ＬＭに光スポットＰが形成される。
【０００９】
図１８に示される如く、二次元光変調部６の共通平面部に二次元的に配列配置された複数の反射型光変調器ＬＭの夫々における、レーザ光ビームが入射して光スポットＰが形成される光入射面に対向する背後面は、光反射面ＲＦを形成している。それにより、各反射型光変調器ＬＭに入射したレーザ光ビームは、光反射面ＲＦによって反射する。
【００１０】
このような二次元光変調部６に関連して、変調制御信号送出部７が設けられている。変調制御信号送出部７は、記録されるべき情報に応じた複数の変調制御信号ＳＭを形成し、それらを、二次元光変調部６における複数の反射型光変調器に夫々供給する。それにより、二次元光変調部６における複数の反射型光変調器の夫々は、上述の如くにして、そこに入射するとともにそこにおいて反射するレーザ光ビームを、変調制御信号ＳＭに応じて変調する。斯かるレーザ光ビームの変調は、入射するレーザ光ビームについての反射量を変調制御信号ＳＭに応じて変化させることによって行われる。なお、変調制御信号送出部７からの変調制御信号ＳＭの内容によっては、各反射型光変調器に入射するレーザ光ビームは、実質的に変調されることなく反射していくものとされる。
【００１１】
その結果、二次元光変調部６からは、その共通平面部に二次元的に配列配置された複数の反射型光変調器において夫々変調制御信号ＳＭに応じて変調されるとともに反射した複数のレーザ光ビーム、もしくは、その共通平面部に二次元的に配列配置された複数の反射型光変調器において夫々変調されることなく反射した複数のレーザ光ビームが、集光レンズ５に向かうものとして得られる。
【００１２】
二次元光変調部６から得られる複数のレーザ光ビームは、集光レンズ５及び１／４波長板４を通過して、偏光ビームスプリッタ３に入射する。この偏光ビームスプリッタ３に入射する二次元光変調部６から得られる複数のレーザ光ビームは、１／４波長板４を往復して通過したことになるので、偏光ビームスプリッタ３に入射するビーム形成ホログラム２からの複数のレーザ光ビームに比して偏光面が９０°回転したものとなっており、偏光ビームスプリッタ３を透過する。
【００１３】
偏光ビームスプリッタ３を透過した複数のレーザ光ビームは、１／４波長板８を通過して、光ビーム制御を行う光学系９を通じて、光記録媒体である光テープ１０に入射する。光学系９は、光テープ１０に入射する複数のレーザ光ビームの夫々に、光テープ１０上において適正な集束状態をとらせるフォーカス制御と、光テープ１０に入射する複数のレーザ光ビームの夫々を、光テープ１０上における適正な位置に入射させるトラッキング制御とを行う。また、光テープ１０は、図示が省略されているテープ駆動機構によって、例えば、矢印Ａによって示される方向に走行するものとされる。
【００１４】
光学系９を通じた複数のレーザ光ビームが光テープ１０に入射するにあたっては、例えば、図１９に示される如くに、光テープ１０に、複数のレーザ光ビームによる二次元的に配列配置された複数の光スポットＱが形成される。図１９に示される光スポットＱは、その個数が８×８＝６４個とされる場合である。斯かる場合には、光テープ１０に二次元的に配列配置された６４本のレーザ光ビームが入射することになる。
【００１５】
そして、光テープ１０に形成される二次元的に配列配置された複数の光スポットＱは、その配列配置における互いに直交する二つの配列方向のうちの一方が、矢印Ａによって示される光テープ１０の走行方向に対して、所定の角度αをなすものとされる。それにより、光テープ１０の走行に従って、光テープ１０上に、各々が光テープ１０の走行方向に沿った、光スポットＱの個数（例えば、６４個）に対応する数の記録トラックが、トラックピッチｔをもって形成されることになる。
【００１６】
光テープ１０に入射する複数のレーザ光ビームが、二次元光変調部６における変調を受けないものである場合には、それらが光テープ１０に記録された情報に応じて変調されるとともに光テープ１０において反射して、光テープ１０から光学系９に向かうものとして得られる。光テープ１０から得られる複数のレーザ光ビームは、光学系９及び１／４波長板８を通過して、偏光ビームスプリッタ３に入射する。この偏光ビームスプリッタ３に入射する光テープ１０から得られる複数のレーザ光ビームは、１／４波長板８を往復して通過したことになるので、偏光ビームスプリッタ３に入射する二次元光変調部６からの複数のレーザ光ビームに比して偏光面が９０°回転したものとなっており、偏光ビームスプリッタ３において図１５における右方に反射する。
【００１７】
偏光ビームスプリッタ３において反射した複数のレーザ光ビームは、光ビームスプリッタ１１に入射し、その一部が、光ビームスプリッタ１１において図１５における下方に反射され、例えば、シリンドリカルレンズ等の光学素子１２を通じて、フォーカス・トラッキング検出部１３に入射するとともに、他の一部が、光ビームスプリッタ１１を透過し、例えば、集光レンズ等の光学素子１４を通じて、光検出部１５に入射する。
【００１８】
フォーカス・トラッキング検出部１３は、光学素子１２を通じて入射する複数のレーザ光ビームに応じて、光テープ１０に入射する複数のレーザ光ビームについてのフォーカス状態をあらわす出力信号ＳＦ及びトラッキング状態をあらわす出力信号ＳＴを送出する。これらの出力信号ＳＦ及びＳＴは、光学系９における光テープ１０に入射する複数のレーザ光ビームの夫々に対するフォーカス制御及びトラッキング制御に用いられる。
【００１９】
また、光検出部１５は、各々が光学素子１４を通じて入射する複数のレーザ光ビームの夫々の変化に応じて変化する複数の出力信号ＳＩを得て、それらを情報再生部１６に供給する。情報再生部１６は、光検出部１５からの複数の出力信号ＳＩに基づいて、光テープ１０に記録された情報を再生する。
【００２０】
このような図１５に示される光テープ記録再生装置において、光テープ１０に対する記録されるべき情報の記録が行われる際には、変調制御信号送出部７から記録されるべき情報に応じて変化する複数の変調制御信号ＳＭが送出され、それらが二次元光変調部６における複数の反射型光変調器に夫々供給される。それにより、二次元光変調部６から、その共通平面部に二次元的に配列配置された複数の反射型光変調器において夫々変調制御信号ＳＭに応じて変調されるとともに反射した複数のレーザ光ビームが、集光レンズ５に向かうものとして得られる。
【００２１】
二次元光変調部６から得られる変調制御信号ＳＭに応じて変調された複数のレーザ光ビームは、集光レンズ５，１／４波長板４，偏光ビームスプリッタ３，１／４波長板８を経て、光学系９に到達し、光学系９によるフォーカス制御及びトラッキング制御を受けるもとで光テープ１０に入射する。その結果、光テープ１０における、変調制御信号ＳＭに応じて変調された複数のレーザ光ビームによる、記録されるべき情報の記録が行われて、光テープ１０上に記録されるべき情報が記録された複数の記録トラックが形成される。
【００２２】
一方、図１５に示される光テープ記録再生装置において、光テープ１０に記録された情報の再生が行われる際には、変調制御信号送出部７から予め設定された一定の複数の変調制御信号ＳＭが送出され、それらが二次元光変調部６における複数の反射型光変調器に夫々供給される。それにより、二次元光変調部６から、その共通平面部に二次元的に配列配置された複数の反射型光変調器において、変調されることなく、一定の反射量をもって反射した複数のレーザ光ビームが、集光レンズ５に向かうものとして得られる。
【００２３】
二次元光変調部６から得られる変調されていない複数のレーザ光ビームは、集光レンズ５，１／４波長板４，偏光ビームスプリッタ３，１／４波長板８を経て、光学系９に到達し、光学系９によるフォーカス制御及びトラッキング制御を受けるもとで光テープ１０に入射し、光テープ１０において、そこに記録された情報に応じて変調されるとともに反射し、光テープ１０から光学系９に向かうものとして得られる。光テープ１０から得られる光テープ１０に記録された情報に応じて変調された複数のレーザ光ビームは、１／４波長板８を通過し、偏光ビームスプリッタ３において反射し、光ビームスプリッタ１１によって、光学素子１２を通じてフォーカス・トラッキング検出部１３に分割入射するとともに、光学素子１４を通じて光検出部１５に分割入射するものとされる。
【００２４】
それにより、フォーカス・トラッキング検出部１３からは、光テープ１０に入射する複数のレーザ光ビームについてのフォーカス状態をあらわす出力信号ＳＦ及びトラッキング状態をあらわす出力信号ＳＴが得られ、また、光検出部１５からは、光テープ１０に記録された情報に応じて変調された複数のレーザ光ビームの夫々の変化に応じて変化する複数の出力信号ＳＩが得られて、それらが情報再生部１６に供給される。その結果、情報再生部１６において、光検出部１５からの複数の出力信号ＳＩに基づき、光テープ１０に記録された情報が再生される。
【００２５】
上述の如くの図１５に示される光テープ記録再生装置とは構成及び動作を異にする、二次元レーザダイオードアレイを用いた光テープ記録再生装置も、従来提案されている。図２０は、斯かる光テープ記録再生装置に用いられる二次元レーザダイオードアレイの一例を示す。図２０に示される二次元レーザダイオードアレイ１７にあっては、複数（例えば、３×３＝９個）の面発光レーザダイオード１８が、二次元的に配列配置されている。
【００２６】
二次元レーザダイオードアレイ１７は、図２１に示される如くに、二次元的に配列配置された複数の面発光レーザダイオード１８を、光テープ１９に近接対向もしくは相互接触対向させる状態をもって配される。そして、光テープ１９に対する記録されるべき情報の記録が行われる際には、複数の面発光レーザダイオード１８の夫々が、記録されるべき情報に応じて変調されたレーザ光ビームを発して、それを光テープ１９に入射させる。それにより、光テープ１９に記録されるべき情報が記録される。
【００２７】
斯かる際、例えば、図２２に示される如くに、二次元レーザダイオードアレイ１７における複数の面発光レーザダイオード１８の配列配置における互いに直交する二つの配列方向のうちの一方が、矢印Ｂによって示される光テープ１９の走行方向に対して、所定の角度βをなすものとされる。それにより、光テープ１９の走行に従って、光テープ１９上に、各々が光テープ１９の走行方向に沿った、面発光レーザダイオード１８の個数（例えば、９個）に対応する数の記録トラックが、トラックピッチｔ’をもって形成されることになる。
【００２８】
このようにして光テープ１９に記録された情報の再生が行われる際には、二次元レーザダイオードアレイ１７が、二次元的に配列配置された複数の面発光レーザダイオード１８を情報が記録された光テープ１９に近接対向もしくは相互接触対向させる状態をもって配され、複数の面発光レーザダイオード１８の夫々が、予め設定された一定のレーザ光ビームを発して、それを光テープ１９に入射させる。光テープ１９に入射したレーザ光ビームは、光テープ１８においてそこに記録された情報に応じて変調されるとともに反射されて、各面発光レーザダイオード１８に戻り、それにより、各面発光レーザダイオード１８が、戻り光ビームによって誘起される発振変動を生じる。この各面発光レーザダイオード１８が生じる発振変動が検出され、それにより得られる検出出力に基づいて、光テープ１９に記録された情報が再生される。
【００２９】
【発明が解決しようとする課題】
上述の従来提案された図１５に示される光テープ記録再生装置（ビーム形成ホログラム及び二次元光変調部が用いられた光テープ記録再生装置）にあっては、ビーム形成ホログラムによって単一のレーザ光ビームから分割形成される複数のレーザ光ビームが、二次元光変調部における二次元的に配列配置された複数の反射型光変調器に夫々入射するものとされる。このようなもとで、ビーム形成ホログラムからの複数のレーザ光ビームの夫々が二次元光変調部における対応する反射型光変調器に正確に入射する状態を得るためには、ビーム形成ホログラムから二次元光変調部までの様々な光学手段の位置関係が、厳格に設定されるとともに維持されることが必要とされる。しかしながら、実際に斯かる光学手段の位置関係を厳格に設定して維持することは、二次元光変調部における複数の反射型光変調器が二次元的に配列配置されていることにより、極めて困難とされる。そのため、光学手段の位置関係の不正確さに起因する必要なレーザ光ビームの欠損，レーザ光ビームの利用率の低下等々の不都合が生じてしまう。
【００３０】
さらに、光テープに入射する複数のレーザ光ビームが光テープ上に形成する二次元的に配列配置された複数の光スポットが、その配列配置における互いに直交する二つの配列方向のうちの一方が、光テープの走行方向に対して所定の角度を成すものとされるので、光テープに複数の記録トラックをもって記録される情報が、記録トラック間における位相差を有するものとされる。それゆえ、光テープに記録された情報の再生にあたり、情報再生部において、光検出部からの複数の検出信号に一括信号処理を施して、光テープに記録された情報を容易に再生するようになすことができず、光テープに記録された情報の再生に複雑な信号処理が要されることになってしまう。
【００３１】
また、上述の従来提案された図２０に示される二次元レーザダイオードアレイを用いる光テープ記録再生装置にあっては、二次元レーザダイオードアレイが、それにおいて二次元的に配列配置される複数の面発光レーザダイオードの夫々が、例えば、２０μＷ程度の極めて小なるパワーを有したレーザ光ビームを発するものとしてしか実現されていないので、実際には、二次元レーザダイオードアレイにおける複数の面発光レーザダイオードが、実質的に光テープに接触するものとされることが要される。それにより、光ビームを用いる情報記録もしくは情報再生における主たる特徴の一つである光記録媒体に対する無接触情報記録もしくは再生を行うことができて、光記録媒体に付着する異物等の影響を受け難いという利点が失われてしまう。
【００３２】
それに加えて、光テープに対向する二次元レーザダイオードアレイにおける二次元的に配列配置された複数の面発光レーザダイオードが、その配列配置における互いに直交する二つの配列方向のうちの一方が、光テープの走行方向に対して所定の角度をなすものとされるので、光テープに複数の記録トラックをもって記録される情報が、記録トラック間における位相差を有するものとされる。それゆえ、この場合にも、光テープに記録された情報の再生にあたり、情報再生部において、光検出部からの複数の検出信号に一括信号処理を施して、光テープに記録された情報を容易に再生するようになすことができず、光テープに記録された情報の再生に複雑な信号処理が要されることになってしまう。
【００３３】
斯かる点に鑑み、本願の特許請求の範囲に記載された発明は、光テープ等の光記録媒体に複数のレーザ光ビーム等の光ビームを入射させて、光記録媒体に対する情報の記録、もしくは、光記録媒体に対する情報の記録及び光記録媒体からの情報の再生を行うにあたり、光記録媒体に対する無接触情報記録もしくは再生を行うことができるもとで、複数の光ビームを透過もしくは反射させる複数の光学手段の位置関係についての設定及び維持における困難さが軽減されることになるとともに、複数の光ビームの利用率の改善が図られ、さらに、光記録媒体に記録された情報の再生が、複雑な信号処理が要されることなく、比較的容易に行われることになる情報記録装置及び情報記録再生装置を提供する。
【００３４】
【課題を解決するための手段】
本願の特許請求の範囲における請求項１から請求項１０までのいずれかに記載された情報記録装置は、光記録媒体を駆動する記録媒体駆動制御部と、光ビームを発する光源部と、複数の光変調手段が線状に配列配置されて成る一次元光変調部と、光源部からの光ビームを一次元光変調部に入射させる第１の光学系と、一次元光変調部の複数の光変調手段に、記録されるべき情報に基づく変調制御信号を供給する変調制御信号送出部と、一次元光変調部により得られる、変調制御信号に応じて変調され、複数の光変調手段の配列配置に応じて配列配置された複数の光ビームを、記録媒体駆動制御部により駆動される光記録媒体に、隣り合う二つが近接もしくは相互接触する状態として入射させ、光記録媒体に記録されるべき情報の記録が行われる状態となす第２の光学系と、を備えて構成される。
【００３５】
本願の特許請求の範囲における請求項１１　または請求項１２に記載された情報記録再生装置は、光記録媒体を駆動する記録媒体駆動制御部と、光ビームを発する第１の光源部と、複数の光変調手段が線状に配列配置されて成る一次元光変調部と、第１の光源部からの光ビームを一次元光変調部に入射させる第１の光学系と、一次元光変調部の複数の光変調手段に、記録されるべき情報に基づく変調制御信号を供給する変調制御信号送出部と、一次元光変調部により得られる、変調制御信号に応じて変調され、複数の光変調手段の配列配置に応じて配列配置された複数の光ビームを、記録媒体駆動制御部により駆動される光記録媒体に、隣り合う二つが近接もしくは相互接触する状態として入射させ、光記録媒体に記録されるべき情報の記録が行われる状態となす第２の光学系と、光ビームを発する第２の光源部と、第２の光源部からの光ビームを記録媒体駆動制御部により駆動される光記録媒体に入射させて、それに記録された情報に応じて変調された光ビームが光記録媒体から得られる状態となす第３の光学系と、入射する光ビームの変化に応じて変化する出力信号を発生する光検出部と、第２の光源部からの光ビームが入射する光記録媒体から得られる光ビームを光検出部に入射させる第４の光学系と、光検出部から得られる出力信号に基づいて光記録媒体に記録された情報を再生する情報再生部と、を備えて構成される。
【００３６】
本願の特許請求の範囲における請求項１３から請求項１５までのいずれかに記載された情報記録再生装置は、光記録媒体を駆動する記録媒体駆動制御部と、光ビームを発する光源部と、光源部からの光ビームが入射する偏光ビームスプリッタと、複数の反射型光変調手段が線状に配列配置されて成る一次元光変調部と、偏光ビームスプリッタにおいて反射した光源部からの光ビームを一次元光変調部に入射させる第１の光学系と、一次元光変調部の複数の反射型光変調手段に、記録されるべき情報に基づく変調制御信号もしくは予め設定された変調制御信号を供給する変調制御信号送出部と、複数の反射型光変調手段において変調制御信号に応じて変調されるとともに反射して、もしくは、変調されることなく反射して得られ、複数の反射型光変調手段の配列配置に応じて配列配置されて、第１の光学系及び偏光ビームスプリッタを透過する複数の光ビームを、記録媒体駆動制御部により駆動される光記録媒体に、隣り合う二つが近接もしくは相互接触する状態として入射させ、光記録媒体に記録されるべき情報の記録が行われる状態、もしくは、光記録媒体に記録された情報に応じて変調された複数の光ビームが光記録媒体から得られる状態となす第２の光学系と、入射する光ビームの変化に応じて変化する出力信号を発生する光検出部と、記録媒体駆動制御部により駆動される光記録媒体から得られ、偏光ビームスプリッタにおいて反射した複数の光ビームを、光検出部に入射させる第３の光学系と、光検出部から得られる出力信号に基づいて光記録媒体に記録された情報を再生する情報再生部と、を備えて構成される。
【００３７】
本願の特許請求の範囲における請求項１６から請求項１８までのいずれかに記載された情報記録再生装置は、光記録媒体を駆動する記録媒体駆動制御部と、光ビームを発する光源部と、光源部からの光ビームが入射する偏光ビームスプリッタと、複数の反射型光変調手段が線状に配列配置されて成る一次元光変調部と、偏光ビームスプリッタを透過した光源部からの光ビームを一次元光変調部に入射させる第１の光学系と、一次元光変調部の複数の反射型光変調手段に、記録されるべき情報に基づく変調制御信号もしくは予め設定された変調制御信号を供給する変調制御信号送出部と、複数の反射型光変調手段において変調制御信号に応じて変調されるとともに反射して、もしくは、変調されることなく反射して得られ、複数の反射型光変調手段の配列配置に応じて配列配置されて、第１の光学系を透過して偏光ビームスプリッタにおいて反射した複数の光ビームを、記録媒体駆動制御部により駆動される光記録媒体に、隣り合う二つが近接もしくは相互接触する状態として入射させ、光記録媒体に記録されるべき情報の記録が行われる状態、もしくは、光記録媒体に記録された情報に応じて変調された複数の光ビームが光記録媒体から得られる状態となす第２の光学系と、入射する光ビームの変化に応じて変化する出力信号を発生する光検出部と、記録媒体駆動制御部により駆動される光記録媒体から得られ、偏光ビームスプリッタを透過した複数の光ビームを、光検出部に入射させる第３の光学系と、光検出部から得られる出力信号に基づいて光記録媒体に記録された情報を再生する情報再生部と、を備えて構成される。
【００３８】
本願の特許請求の範囲における請求項１９から請求項２１までのいずれかに記載された情報記録再生装置は、光記録媒体を駆動する記録媒体駆動制御部と、光ビームを発する光源部と、複数の反射型光変調手段が線状に配列配置されて成る一次元光変調部と、光源部からの光ビームを一次元光変調部に入射させる第１の光学系と、一次元光変調部の複数の反射型光変調手段に、記録されるべき情報に基づく変調制御信号もしくは予め設定された変調制御信号を供給する変調制御信号送出部と、複数の反射型光変調手段において変調制御信号に応じて変調されるとともに反射して、もしくは、変調されることなく反射して得られ、複数の反射型光変調手段の配列配置に応じて配列配置される複数の光ビームを、記録媒体駆動制御部により駆動される光記録媒体に、隣り合う二つが近接もしくは相互接触する状態として入射させ、光記録媒体に記録されるべき情報の記録が行われる状態、もしくは、記録媒体に記録された情報に応じて変調された複数の光ビームが光記録媒体から得られる状態となす、偏光ビームスプリッタを含んだ第２の光学系と、入射する光ビームの変化に応じて変化する出力信号を発生する光検出部と、記録媒体駆動制御部により駆動される光記録媒体から得られ、第２の光学系に含まれた偏光ビームスプリッタを経た複数の光ビームを、光検出部に入射させる第３の光学系と、光検出部から得られる出力信号に基づいて光記録媒体に記録された情報を再生する情報再生部と、を備えて構成される。
【００３９】
上述の如くの本願の特許請求の範囲における請求項１から請求項１０までのいずれかに記載された情報記録装置にあっては、光源部からの光ビームが、複数の光変調手段が線状に配列配置されて成る一次元光変調部に入射し、その一次元光変調部における複数の光変調手段に、変調制御信号送出部からの記録されるべき情報に基づく変調制御信号が供給される。そして、一次元光変調部から、線状に配列配置された複数の光変調手段において変調制御信号に応じて変調され、複数の光変調手段の配列配置に応じて配列配置された複数の光ビームが得られ、それらが、記録媒体駆動制御部により駆動される光記録媒体に、隣り合う二つが近接もしくは相互接触する状態をもって入射するものとされ、それによって、光記録媒体に記録されるべき情報の記録が行われて、光記録媒体に記録されるべき情報が光記録媒体に入射する複数の光ビームに夫々対応する複数の記録トラックをもって記録される。
【００４０】
このように、複数の光変調手段が線状に配列配置されて成る一次元光変調部が用いられて、記録されるべき情報に基づく変調制御信号に応じて変調された複数の光ビームが、複数の光変調手段の配列配置に応じた配列配置、即ち、実質的に共通面内に配されることになる配列配置をもって形成され、それらが記録媒体駆動制御部により駆動される光記録媒体に入射するものとされるので、光記録媒体に対する無接触情報記録を行うことができ、しかも、複数の光ビームを透過もしくは反射させる複数の光学手段の位置関係についての設定及び維持における困難さが軽減されることになるとともに、複数の光ビームの利用率の改善が図られる。
【００４１】
さらに、光記録媒体における記録されるべき情報の記録が、記録されるべき情報に基づく変調制御信号に応じて変調されて、実質的に共通面内に配列配置されることになる複数の光ビームが光記録媒体に入射することにより、光記録媒体上に線状に配列配置される光スポットが形成されるもとで行われるので、光記録媒体に記録された情報の再生が、複雑な信号処理が要されることなく、比較的容易に行われ得ることになる。
【００４２】
本願の特許請求の範囲における請求項１１または請求項１２に記載された情報記録再生装置にあっては、第１の光源部からの光ビームが、複数の光変調手段が線状に配列配置されて成る一次元光変調部に入射し、その一次元光変調部における複数の光変調手段に、変調制御信号送出部からの記録されるべき情報に基づく変調制御信号が供給される。そして、一次元光変調部から、線状に配列配置された複数の光変調手段において変調制御信号に応じて変調され、複数の光変調手段の配列配置に応じて配列配置された複数の光ビームが得られ、それらが、記録媒体駆動制御部により駆動される光記録媒体に、隣り合う二つが近接もしくは相互接触する状態をもって入射するものとされ、それによって、光記録媒体に記録されるべき情報の記録が行われて、光記録媒体に記録されるべき情報が光記録媒体に入射する複数の光ビームに夫々対応する複数の記録トラックをもって記録される。
【００４３】
また、第２の光源部からの光ビームが、記録媒体駆動制御部により駆動される光記録媒体に入射し、光記録媒体に記録された情報に応じて変調されて、光検出部に導かれる。それにより、光検出部から、光記録媒体に記録された情報に応じて変調された光ビームの変化に応じて変化する出力信号が得られ、情報再生部において、光検出部からの出力信号に基づいて光記録媒体に記録された情報が再生される。
【００４４】
このように、複数の光変調手段が線状に配列配置されて成る一次元光変調部が用いられて、第１の光源部からの光ビームに基づく、記録されるべき情報に基づく変調制御信号に応じて変調された複数の光ビームが、複数の光変調手段の配列配置に応じた配列配置、即ち、実質的に共通面内に配されることになる配列配置をもって形成され、それらが記録媒体駆動制御部により駆動される光記録媒体に入射するものとされるので、光記録媒体に対する無接触情報記録を行うことができ、しかも、複数の光ビームを透過もしくは反射させる複数の光学手段の位置関係についての設定及び維持における困難さが軽減されることになるとともに、複数の光ビームの利用率の改善が図られる。
【００４５】
さらに、光記録媒体における記録されるべき情報の記録が、記録されるべき情報に基づく変調制御信号に応じて変調されて、実質的に共通面内に配列配置されることになる複数の光ビームが光記録媒体に入射することにより、光記録媒体上に線状に配列配置される光スポットが形成されるもとで行われるので、例えば、第２の光源部からの光ビームが、記録媒体駆動制御部により駆動される光記録媒体に入射するものとされて行われる、光記録媒体に記録された情報の再生が、情報再生部において、複雑な信号処理が要されることなく、比較的容易に行われ得ることになる。
【００４６】
本願の特許請求の範囲における請求項１３から請求項２１までのいずれかに記載された情報記録再生装置にあっては、光記録媒体に対する情報の記録と光記録媒体からの情報の再生とを、共通の光源部及び複数の光学手段を用いて行う。
【００４７】
光記録媒体に対する情報の記録を行うにあたっては、光源部からの光ビームが、複数の反射型光変調手段が線状に配列配置されて成る一次元光変調部に入射し、その一次元光変調部における複数の反射型光変調手段に、変調制御信号送出部からの記録されるべき情報に基づく変調制御信号が供給される。そして、一次元光変調部から、線状に配列配置された複数の反射型光変調手段において変調制御信号に応じて変調されるとともに反射し、複数の反射型光変調手段の配列配置に応じて配列配置された複数の光ビームが得られ、それらが、記録媒体駆動制御部により駆動される光記録媒体に、隣り合う二つが近接もしくは相互接触する状態をもって入射するものとされ、それによって、光記録媒体に記録されるべき情報の記録が行われて、光記録媒体に記録されるべき情報が光記録媒体に入射する複数の光ビームに夫々対応する複数の記録トラックをもって記録される。
【００４８】
一方、光記録媒体からの情報の再生を行うにあたっては、光源部からの光ビームが、複数の反射型光変調手段が線状に配列配置されて成る一次元光変調部に入射し、その一次元光変調部における複数の反射型光変調手段に、変調制御信号送出部からの予め設定された変調制御信号が供給される。そして、一次元光変調部から、線状に配列配置された複数の反射型光変調手段において変調されることなく反射し、複数の反射型光変調手段の配列配置に応じて配列配置された複数の光ビームが得られ、それらが、記録媒体駆動制御部により駆動される光記録媒体に、隣り合う二つが近接もしくは相互接触する状態をもって入射するものとされ、それによって、光記録媒体に記録された情報に応じて変調された複数の光ビームが光記録媒体から得られて、光検出部に導かれる。それにより、光検出部から、光記録媒体に記録された情報に応じて変調された光ビームの変化に応じて変化する出力信号が得られ、情報再生部において、光検出部からの出力信号に基づいて光記録媒体に記録された情報が再生される。
【００４９】
このように、複数の反射型光変調手段が線状に配列配置されて成る一次元光変調部が用いられて、光源部からの光ビームに基づく、記録されるべき情報に基づく変調制御信号に応じて変調された複数の光ビーム、もしくは、変調を受けないものとされた複数の光ビームが、複数の反射型光変調手段の配列配置に応じた配列配置、即ち、実質的に共通面内に配されることになる配列配置をもって形成され、それらが記録媒体駆動制御部により駆動される光記録媒体に入射するものとされるので、光記録媒体に対する無接触情報記録、もしくは、光記録媒体からの無接触情報再生を行うことができ、しかも、複数の光ビームを透過もしくは反射させる複数の光学手段の位置関係についての設定及び維持における困難さが軽減されることになるとともに、複数の光ビームの利用率の改善が図られる。
【００５０】
さらに、光記録媒体における記録されるべき情報の記録が、記録されるべき情報に基づく変調制御信号に応じて変調されて、実質的に共通面内に配列配置されることになる複数の光ビームが光記録媒体に入射することにより、光記録媒体上に線状に配列配置される光スポットが形成されるもとで行われるので、変調を受けないものとされて実質的に共通面内に配列配置されることになる複数の光ビームが、記録媒体駆動制御部により駆動される光記録媒体に入射するものとされて行われる、光記録媒体に記録された情報の再生が、情報再生部において、複雑な信号処理が要されることなく、比較的容易に行われ得ることになる。
【００５１】
【発明の実施の形態】
図１は、本願の特許請求の範囲における請求項１から請求項１０までのいずれかに記載された発明に係る情報記録装置の一例の要部を示す。この図１に示される例は、光記録媒体としてテープ状光記録媒体、即ち、光テープを用い、光テープに対する情報の記録を行うものとされている。
【００５２】
図１に示される情報記録装置の例にあっては、レーザ光ビームを連続的に発する光源部を成すレーザ光源２１が備えられている。レーザ光源２１から発せられたレーザ光ビームは、複数のレンズ等の光学素子を含んで構成される光学系２２によって、一次元光変調部２３に入射するものとされる。
【００５３】
一次元光変調部２３は、図２に示される如く、平板状支持部材２４に複数の光変調手段である反射型光変調器２５が、隣り合う二つが近接するものとして線状に配列配置されたものとされる。複数の反射型光変調器２５の夫々は、それに入射する光ビームを外部から供給される変調制御信号に応じて変調するとともに反射させる。
【００５４】
レーザ光源２１及び光学系２２の一例にあっては、例えば、図３に示される如くに、レーザ光源２１が単一のレーザ光ビームを発する発光ダイオードであるレーザダイオード３０によって構成され、また、光学系２２がシリンドリカルレンズ３１，光ビーム平行化レンズ３２及び集光レンズ３３を含んで構成される。
【００５５】
このような図３に示されるレーザ光源２１及び光学系２２の例にあっては、レーザダイオード３０からのレーザ光ビームが、シリンドリカルレンズ３１に入射し、シリンドリカルレンズ３１によって、長円形の断面を有する光ビームに変形される。そして、シリンドリカルレンズ３１から得られる長円形の断面を有したレーザ光ビームは、光ビーム平行化レンズ３２により平行ビーム化されて集光レンズ３３に入射し、集光レンズ３３によって集束状態とされて、一次元光変調部２３に入射するものとされる。
【００５６】
その際、一次元光変調部２３に入射する長円形の断面を有したレーザ光ビームは、その長円形の断面の長軸方向を、一次元光変調部２３における線状に配列配置された複数の反射型光変調器２５の配列方向に一致させる状態とされる。それにより、図４に示される如く、一次元光変調部２３において、線状に配列配置された複数の反射型光変調器２５の全体を照射するように、レーザ光ビームによる長円形の光スポット３４が形成される。
【００５７】
一次元光変調部２３に関連して、変調制御信号送出部３５が設けられている。変調制御信号送出部３５には、記録されるべき情報をあらわす記録信号ＳＳが供給され、変調制御信号送出部３５は、記録信号ＳＳに応じて、記録されるべき情報に基づく複数の変調制御信号ＳＭＤを形成して、それらを、一次元光変調部２３における複数の反射型光変調器２５に夫々供給する。それにより、一次元光変調部２３における複数の反射型光変調器２５の各々は、上述の如くに、線状に配列配置された複数の反射型光変調器２５の全体を照射する長円形の光スポット３４を形成して入射するレーザ光ビームを、変調制御信号送出部３５からの変調制御信号ＳＭＤに応じて変調するとともに反射させる。斯かる複数の反射型光変調器２５の各々によるレーザ光ビームの変調は、入射するレーザ光ビームについての反射量を変調制御信号ＳＭＤに応じて変化させることによって行われる。
【００５８】
また、レーザ光源２１及び光学系２２の他の例にあっては、例えば、図５に示される如くに、レーザ光源２１が複数の発光ダイオードであるレーザダイオードを含んだ一次元ダイオードアレイ４０によって構成され、また、光学系２２が光ビーム平行化レンズ４１と集光レンズ４２とを含んで構成される。一次元ダイオードアレイ４０は、図６に示される如く、線状に配列配置された複数のレーザダイオード４３が設けられて形成され、複数のレーザダイオード４３の夫々が単一のレーザ光ビームを継続的に発する。従って、一次元ダイオードアレイ４０からは、複数のレーザダイオード４３の配列配置に応じて線状に配列配置されたもの、換言すれば、実質的に共通面内に配列配置されたものとされる複数のレーザ光ビームが発せられる。
【００５９】
このような図５に示されるレーザ光源２１及び光学系２２の例にあっては、一次元ダイオードアレイ４０からの線状に配列配置された複数のレーザ光ビームが、光ビーム平行化レンズ４１に入射する。そして、斯かる複数のレーザ光ビームの各々が、光ビーム平行化レンズ４１により平行ビーム化されて集光レンズ４２に入射し、集光レンズ４２によって集束状態とされて、一次元光変調部２３に入射するものとされる。
【００６０】
その際、一次元光変調部２３に入射する線状に配列配置された複数のレーザ光ビームは、その配列方向を一次元光変調部２３における線状に配列配置された複数の反射型光変調器２５の配列方向に一致させる状態とされて、複数の反射型光変調器２５に入射する。それにより、図７に示される如く、一次元光変調部２３において、線状に配列配置された複数の反射型光変調器２５を照射するようにして、複数のレーザ光ビームによる複数の光スポット４４が形成される。
【００６１】
このようなもとで、一次元光変調部２３における複数の反射型光変調器２５には、変調制御信号送出部３５からの記録されるべき情報に基づく複数の変調制御信号ＳＭＤが夫々供給され、それにより、一次元光変調部２３における複数の反射型光変調器２５の各々は、上述の如くに、線状に配列配置された複数の反射型光変調器２５を夫々照射する複数の光スポット４４を形成して入射する複数のレーザ光ビームの各々を、変調制御信号送出部３５からの変調制御信号ＳＭＤに応じて変調するとともに反射させる。斯かる際における複数の反射型光変調器２５の各々によるレーザ光ビームの変調も、入射するレーザ光ビームについての反射量を変調制御信号ＳＭＤに応じて変化させることによって行われる。
【００６２】
上述の如くのレーザ光源２１及び光学系２２と一次元光変調部２３とを備えた図１に示される情報記録装置にあっては、一次元光変調部２３から、線状に配列配置された複数の反射型光変調器２５の夫々において変調制御信号送出部３５からの変調制御信号ＳＭＤに応じて変調されるとともに反射した複数のレーザ光ビーム（変調レーザ光ビーム）が、複数の反射型光変調器２５の配列配置に応じて線状に配列配置されたもの、換言すれば、実質的に共通面内に配列配置されたものとして得られる。そして、一次元光変調部２３からの線状に配列配置された複数の変調レーザ光ビームは、光ビーム制御を行う光学系４５を通じて、記録媒体駆動制御部４６によって駆動されて走行する光記録媒体である光テープ４７に入射する。
【００６３】
光ビーム制御を行う光学系４５は、一次元光変調部２３からの線状に配列配置された複数の変調レーザ光ビームを、隣り合う二つが近接もしくは相互接触する状態、即ち、隣り合う二つの間の間隙が極めて小もしくは実質的に無い状態として光テープ４７に入射させるとともに、光テープ４７に入射する複数の変調レーザ光ビームの夫々に、光テープ４７上において適正な集束状態をとらせるフォーカス制御と、光テープ４７に入射する複数の変調レーザ光ビームの夫々を、光テープ４７上における適正な位置に入射させるトラッキング制御とを行う。それにより、複数の変調レーザ光ビームによって、光テープ４７に記録されるべき情報の記録が行われる状態とされる。
【００６４】
斯かる複数の変調レーザ光ビームによる光テープ４７に対する情報の記録は、図８に示される如くに、光テープ４７上に、各々が光テープ４７の走行方向に沿って伸びる、光テープ４７に入射する変調レーザ光ビームの数ｎ（例えば、８個）に応じた複数の平行な記録トラックＣＨ１，ＣＨ２，ＣＨ３，・・・，ＣＨｎが形成されるもとで行われる。複数の記録トラックＣＨ１〜ＣＨｎの夫々は、それに対応する変調レーザ光ビームの変調状態に応じた記録パターンを有するものとされる。
【００６５】
このような複数の変調レーザ光ビームによる光テープ４７に対する情報の記録が行われるにあたり、光テープ４７に入射する線状に配列配置された複数の変調レーザ光ビームの配列方向が、光テープ４７の走行方向に対して予め定められた所定の角度をとるものとして設定される。図９は、光テープ４７に入射する線状に配列配置された複数の変調レーザ光ビームの配列方向が、矢印Ｘによりあらわされる光テープ４７の走行方向に対して直交するものとされる場合における、光テープ４７上に複数の変調レーザ光ビームにより形成される複数の光スポットＺと複数の記録トラックＣＨ１〜ＣＨｎとの関係を示し、また、図１０は、光テープ４７に入射する線状に配列配置された複数の変調レーザ光ビームの配列方向が、矢印Ｘによりあらわされる光テープ４７の走行方向に対して角度γをなすものとされる場合における、光テープ４７上に複数の変調レーザ光ビームにより形成される複数の光スポットＺと複数の記録トラックＣＨ１〜ＣＨｎとの関係を示す。
【００６６】
図９に示される如くの、光テープ４７に入射する線状に配列配置された複数の変調レーザ光ビームの配列方向が光テープ４７の走行方向に対して直交するものとされる場合には、複数の記録トラックＣＨ１〜ＣＨｎをもって記録される情報は、記録トラック間位相差を有さないものとされる。それに対して、図１０に示される如くの、光テープ４７に入射する線状に配列配置された複数の変調レーザ光ビームの配列方向が光テープ４７の走行方向に対して角度γをなすものとされる場合には、複数の記録トラックＣＨ１〜ＣＨｎをもって記録される情報は、角度γに応じた一定の記録トラック間位相差を有するものとされることになる。
【００６７】
上述の如くの図１に示される情報記録装置の例にあっては、一次元光変調部２３が用いられて、記録されるべき情報に基づく変調制御信号ＳＭＤに応じて変調された複数のレーザ光ビームが、線状の配列配置、即ち、実質的に共通面内に配されることになる配列配置をもって形成され、それらが光テープ４７に入射するものとされるので、光テープ４７に対する無接触情報記録を行うことができ、しかも、複数のレーザ光ビームを透過もしくは反射させる複数の光学手段の位置関係についての設定及び維持における困難さが軽減されることになるとともに、複数の光ビームの利用率の改善が図られる。
【００６８】
図１１は、本願の特許請求の範囲における請求項１１または請求項１２に記載された発明に係る情報記録再生装置の一例の要部を示す。この図１１に示される情報記録再生装置の例は、光記録媒体としてテープ状光記録媒体、即ち、光テープを用い、光テープに対する情報の記録及び再生を行うものとされている。
【００６９】
図１１に示される情報記録再生装置の例にあっては、情報記録部５０と情報再生部５１とが備えられており、情報記録部５０により、記録媒体駆動制御部５２によって駆動されて走行する光テープ５３に対する情報の記録が行われ、また、情報再生部５１により、記録媒体駆動制御部５２によって駆動されて走行する光テープ５３からのそれに記録された情報の再生が行われる。
【００７０】
情報記録部５０は、図１に示される本願の特許請求の範囲における請求項１から請求項１０までのいずれかに記載された発明に係る情報記録装置の一例の要部と同様に構成されており、図１１にあっては、情報記録部５０における各部及び各信号が図１に示される情報記録装置の一例の要部における対応する部分及び信号と共通の符号が付されてあらわされていて、それらについての重複説明は省略される。
【００７１】
情報再生部５１にあっては、レーザ光ビームを連続的に発する光源部を成すレーザ光源５５が備えられている。レーザ光源５５は、図６に示される如くの、線状に配列配置された複数のレーザダイオード４３が設けられて形成される一次元ダイオードアレイ４０が用いられて構成される。斯かる場合には、レーザ光源５５から、複数のレーザダイオード４３の配列配置に応じて線状に配列配置されたもの、換言すれば、実質的に共通面内に配列配置されたものとされる複数のレーザ光ビームが発せられる。
【００７２】
レーザ光源５５からの複数のレーザ光ビームは、光ビーム制御を行う光学系５６を通じて、記録媒体駆動制御部５２によって駆動されて走行する光テープ５３に入射する。光テープ５３は、例えば、情報記録部５０による情報の記録が行われて、例えば、図８に示される光テープ４７におけるものと同様な、各々に情報が記録された複数の記録トラックＣＨ１〜ＣＨｎが形成されたものとされる。
【００７３】
光ビーム制御を行う光学系５６は、レーザ光源５５からの線状に配列配置された複数のレーザ光ビームを、隣り合う二つが近接もしくは相互接触する状態、即ち、隣り合う二つの間の間隙が極めて小もしくは実質的に無い状態として光テープ５３に入射させるとともに、光テープ５３に入射する複数のレーザ光ビームの夫々に、光テープ５３上において適正な集束状態をとらせるフォーカス制御と、光テープ５３に入射する複数のレーザ光ビームの入射位置を、光テープ５３に形成された複数の記録トラックＣＨ１〜ＣＨｎに夫々適正に合致させるトラッキング制御とを行う。
【００７４】入射位置が光テープ５３に形成された複数の記録トラックＣＨ１〜ＣＨｎに夫々合致するものとされる複数のレーザ光ビームの各々は、複数の記録トラックＣＨ１〜ＣＨｎの夫々に記録された情報に応じた変調を受けるとともに、複数の記録トラックＣＨ１〜ＣＨｎの夫々において反射して、複数の光学素子を含んで構成される光学系５７に向かう。光学系５７は、光テープ５３からの光テープ５３に記録された情報に応じて変調された複数のレーザ光ビームを光検出部５８に入射させる。
【００７５】
光検出部５８は、各々が光学系５７を通じて入射する複数のレーザ光ビームの夫々の変化に応じて変化する複数の出力信号ＳＩＮを得て、それらを情報再生部５９に供給する。情報再生部５９は、光検出部５８からの複数の出力信号ＳＩＮに基づいて、光テープ５３に記録された情報を再生する。
【００７６】
なお、上述の図１１に示される情報記録再生装置の例における情報再生部５１にあっては、レーザ光源５５が、一次元ダイオードアレイ４０が用いられて構成されて、線状に配列配置された複数のレーザ光ビームを発するものとされているが、レーザ光源５５が、複数のレーザ光ビームでなく、単一のレーザ光ビームを発するものとされてもよい。斯かる際には、光学系５６を通じて光テープ５３に入射するレーザ光ビームが、単一のレーザ光ビームとされ、それによって、例えば、光テープ５３に複数の記録トラックをもって記録された情報の再生が順次行われるようにされる。
【００７７】
上述の如くの図１１に示される情報記録再生装置の例にあっても、情報記録部５０において、一次元光変調部２３が用いられて、記録されるべき情報に基づく変調制御信号ＳＭＤに応じて変調された複数のレーザ光ビームが、線状の配列配置、即ち、実質的に共通面内に配されることになる配列配置をもって形成され、それらが光テープ５３に入射するものとされるので、光テープ５３に対する無接触情報記録を行うことができ、しかも、複数のレーザ光ビームを透過もしくは反射させる複数の光学手段の位置関係についての設定及び維持における困難さが軽減されることになるとともに、複数の光ビームの利用率の改善が図られることになる。また、情報再生部５１にあっては、光テープ５３から再生すべき情報が、記録されるべき情報に基づく変調制御信号ＳＭＤに応じて変調されて線状に配列配置される複数のレーザ光ビームによって光テープ５３に記録されたものとされるので、光テープ５３に記録された情報の再生が、複雑な信号処理が要されることなく、比較的容易に行われることになる。
【００７８】
図１２は、本願の特許請求の範囲における請求項１３から請求項１５までのいずれかに記載された発明に係る情報記録再生装置の一例の要部を示す。この図１２に示される情報記録再生装置の例も、光記録媒体としてテープ状光記録媒体、即ち、光テープを用い、光テープに対する情報の記録及び再生を行うものとされている。
【００７９】
図１２に示される情報記録再生装置の例にあっては、レーザ光ビームを連続的に発する光源部を成すレーザ光源６１、及び、レーザ光源６１から発せられたレーザ光ビームが入射する、複数のレンズ等の光学素子を含んで構成される光学系６２が備えられている。これらのレーザ光源６１及び光学系６２は、前述の図１に示される情報記録装置の例におけるレーザ光源２１及び光学系２２と同様とされ、例えば、レーザ光源６１が図３に示されるレーザダイオード３０によって構成されるとともに、光学系６２が図３に示されるシリンドリカルレンズ３１，光ビーム平行化レンズ３２及び集光レンズ３３を含んで構成されて、光学系６２から長円形の断面を有したレーザ光ビームが導出されるもの、あるいは、例えば、レーザ光源６１が図５に示される一次元ダイオードアレイ４０によって構成されるとともに、光学系６２が図５に示される光ビーム平行化レンズ４１と集光レンズ４２とを含んで構成されて、光学系６２から線状に配列配置されたもの、換言すれば、実質的に共通面内に配列配置されたものとされる複数のレーザ光ビームが導出されるものとされる。
【００８０】
光学系６２から導出されるレーザ光ビームは、偏光ビームスプリッタ６３に入射し、偏光ビームスプリッタ６３において図１２における下方に向って反射し、１／４波長板６４を通過して、集光レンズ６５に入射する。集光レンズ６５は、１／４波長板６４を通過したレーザ光ビームを、一次元光変調部６６に集光入射させる。
【００８１】
一次元光変調部６６は、図１に示される情報記録装置の例における一次元光変調部２３と同様なものとされる。そして、例えば、図２に示される一次元光変調部２３が、平板状支持部材２４に複数の光変調手段である反射型光変調器２５が、隣り合う二つが隣接するものとして線状に配列配置されたものとされているのと同様に、一次元光変調部６６は、平板状支持部材２４に相当する平板状支持部材に、複数の光変調手段である、反射型光変調器２５に相当する反射型光変調器が、隣り合う二つが近接するものとして線状に配列配置されたものとされる。
【００８２】
斯かる一次元光変調部６６に入射するレーザ光ビームは、レーザ光源６１及び光学系６２の構成に応じて、例えば、長円形の断面を有した単一のレーザ光ビーム、もしくは、線状に配列配置されたもの、換言すれば、実質的に共通面内に配列配置されたものとされる複数のレーザ光ビームとされる。
【００８３】
一次元光変調部６６に入射するレーザ光ビームが、長円形の断面を有した単一のレーザ光ビームである場合には、単一のレーザ光ビームが、その長円形の断面の長軸方向が、一次元光変調部６６における線状に配列配置された複数の反射型光変調器の配列方向に一致する状態とされる。それにより、図４に示される一次元光変調部２３の場合と同様に、一次元光変調部６６において、線状に配列配置された複数の反射型光変調器の全体を照射するように、レーザ光ビームによる長円形の光スポットが形成される。
【００８４】
また、一次元光変調部６６に入射するレーザ光ビームが、線状に配列配置されたもの、換言すれば、実質的に共通面内に配列配置されたものとされる複数のレーザ光ビームである場合には、複数のレーザ光ビームが、その配列方向を一次元光変調部６６における線状に配列配置された複数の反射型光変調器の配列方向に一致する状態とされて、複数の反射型光変調器に夫々入射する。それにより、図７に示される一次元光変調部２３の場合と同様に、一次元光変調部６６において、線状に配列配置された複数の反射型光変調器を夫々照射するようにして、複数のレーザ光ビームによる複数の光スポットが形成される。
【００８５】
一次元光変調部６６に関連して、変調制御信号送出部６７が設けられており、変調制御信号送出部６７には、記録されるべき情報をあらわす記録信号ＳＳが供給される。斯かるもとで、変調制御信号送出部６７は、記録信号ＳＳに応じて、記録されるべき情報に基づく複数の変調制御信号ＳＭＤを形成する状態、もしくは、記録信号ＳＳとは関わり無く、予め設定された複数の変調制御信号ＳＮＭを形成する状態をとり、複数の変調制御信号ＳＭＤもしくは複数の変調制御信号ＳＮＭを、一次元光変調部６６における線状に配列配置された複数の反射型光変調器に夫々供給する。
【００８６】
それにより、一次元光変調部６６における複数の反射型光変調器の各々は、変調制御信号送出部６７から記録されるべき情報に基づく複数の変調制御信号ＳＭＤが供給されるときには、上述の如くに、線状に配列配置された複数の反射型光変調器の全体を照射する長円形の光スポットを形成して入射するレーザ光ビーム、もしくは、線状に配列配置された複数の反射型光変調器を夫々照射する複数の光スポットを形成して入射する複数のレーザ光ビームを、変調制御信号ＳＭＤに応じて変調するとともに反射させる。斯かる複数の反射型光変調器の各々によるレーザ光ビームの変調は、入射するレーザ光ビームについての反射量を変調制御信号ＳＭＤに応じて変化させることによって行われる。
【００８７】
また、一次元光変調部６６における複数の反射型光変調器の各々は、変調制御信号送出部６７から予め設定された複数の変調制御信号ＳＮＭが供給されるときには、上述の如くに、線状に配列配置された複数の反射型光変調器の全体を照射する長円形の光スポットを形成して入射するレーザ光ビーム、もしくは、線状に配列配置された複数の反射型光変調器を夫々照射する複数の光スポットを形成して入射する複数のレーザ光ビームを、変調することなく一定の反射量をもって反射させる。
【００８８】
その結果、一次元光変調部６６からは、その共通平面部に線状に配列配置された複数の反射型光変調器において夫々変調制御信号ＳＭＤに応じて変調されるとともに反射した複数のレーザ光ビーム、もしくは、その共通平面部に二次元的に配列配置された複数の反射型光変調器において夫々変調されることなく反射した複数のレーザ光ビームが、複数の反射型光変調器の配列配置に応じて線状に配列配置されたもの、換言すれば、実質的に共通面内に配列配置されたものとして得られ、集光レンズ６５に向かって導出される。
【００８９】
一次元光変調部６６から得られる複数のレーザ光ビームは、集光レンズ６５及び１／４波長板６４を通過して、偏光ビームスプリッタ６３に入射する。この偏光ビームスプリッタ６３に入射する一次元光変調部６６から得られる複数のレーザ光ビームは、１／４波長板６４を往復して通過したことになるので、偏光ビームスプリッタ６３に入射する光学系６２からのレーザ光ビームに比して偏光面が９０°回転したものとなっており、偏光ビームスプリッタ６３を透過する。そして、偏光ビームスプリッタ６３を透過した複数のレーザ光ビームは、１／４波長板６８を通過し、光ビーム制御を行う光学系６９を通じて、記録媒体駆動制御部７０によって駆動されて走行する光記録媒体である光テープ７１に入射する。
【００９０】
光ビーム制御を行う光学系６９は、一次元光変調部６６から発した線状に配列配置された複数のレーザ光ビームを、隣り合う二つが近接もしくは相互接触する状態、即ち、隣り合う二つの間の間隙が極めて小もしくは実質的に無い状態として光テープ７１に入射させるとともに、光テープ７１に入射する複数のレーザ光ビームの夫々に、光テープ７１上において適正な集束状態をとらせるフォーカス制御と、光テープ７１に入射する複数のレーザ光ビームの夫々を、光テープ７１上における適正な位置に入射させるトラッキング制御とを行う。
【００９１】
このようにして、光テープ７１に入射する複数のレーザ光ビームが、一次元光変調部６６において変調制御信号ＳＭＤに応じて変調されるとともに反射したものである場合には、変調制御信号ＳＭＤに応じて変調された複数のレーザ光ビームによって、光テープ７１に記録されるべき情報の記録が行われる状態とされる。
【００９２】
一方、光テープ７１に入射する複数のレーザ光ビームが、一次元光変調部６６において変調されることなく反射したものである場合には、光テープ７１は、複数の記録トラックをもって情報が記録されたものとされ、光ビーム制御を行う光学系６９によって、複数のレーザ光ビームが複数の記録トラックに夫々適正に入射するものとされる。
【００９３】
光テープ７１に形成された複数の記録トラックに夫々入射するものとされる複数のレーザ光ビームの各々は、複数の記録トラックの夫々に記録された情報に応じた変調を受けるとともに、複数の記録トラックの夫々において反射し、光学系６９に向かうものとして得られる。このようにして、光テープ７１から得られる複数のレーザ光ビームは、光学系６９及び１／４波長板６８を通過して、偏光ビームスプリッタ６３に入射する。この偏光ビームスプリッタ６３に入射する光テープ７１から得られる複数のレーザ光ビームは、１／４波長板６８を往復して通過したことになるので、偏光ビームスプリッタ６３に入射する一次元光変調部６６からの複数のレーザ光ビームに比して偏光面が９０°回転したものとなっており、偏光ビームスプリッタ６３において図１２における右方に反射する。
【００９４】
偏光ビームスプリッタ６３において反射した複数のレーザ光ビームは、光ビームスプリッタ７２に入射し、その一部が、光ビームスプリッタ７２において図１２における下方に反射され、例えば、シリンドリカルレンズ等の光学素子７３を通じて、フォーカス・トラッキング検出部７４に入射するとともに、他の一部が、光ビームスプリッタ７２を透過し、例えば、集光レンズ等の光学素子７５を通じて、光検出部７６に入射する。
【００９５】
フォーカス・トラッキング検出部７４は、光学素子７３を通じて入射する複数のレーザ光ビームに応じて、光テープ７１に入射する複数のレーザ光ビームについてのフォーカス状態をあらわす出力信号ＳＦ及びトラッキング状態をあらわす出力信号ＳＴを送出する。これらの出力信号ＳＦ及びＳＴは、ビーム制御を行う光学系６９における光テープ７１に入射する複数のレーザ光ビームの夫々に対するフォーカス制御及びトラッキング制御に用いられる。
【００９６】
また、光検出部７６は、各々が光学素子７５を通じて入射する複数のレーザ光ビームの夫々の変化に応じて変化する複数の出力信号ＳＩＮを得て、それらを情報再生部７７に供給する。情報再生部７７は、光検出部７６からの複数の出力信号ＳＩＮに基づいて、光テープ７１に記録された情報の再生を行う。
【００９７】
このような図１２に示される情報記録再生装置の例において、光テープ７１に対する記録されるべき情報の記録が行われる際には、変調制御信号送出部６７から記録されるべき情報に基づく複数の変調制御信号ＳＭＤが送出され、それらが一次元光変調部６６における複数の反射型光変調器に夫々供給される。それにより、一次元光変調部６６から、その共通平面部に線状に配列配置された複数の反射型光変調器において夫々変調制御信号ＳＭＤに応じて変調されるとともに反射した複数のレーザ光ビームが、集光レンズ６５に向かうものとして得られる。
【００９８】
一次元光変調部６６から得られる変調制御信号ＳＭＤに応じて変調された複数のレーザ光ビームは、集光レンズ６５，１／４波長板６４，偏光ビームスプリッタ６３，１／４波長板６８を経て、ビーム制御を行う光学系６９に到達し、光学系６９によるフォーカス制御及びトラッキング制御を受けるもとで光テープ７１に入射する。その結果、光テープ７１における、変調制御信号ＳＭＤに応じて変調された複数のレーザ光ビームによる、記録されるべき情報の記録が行われて、光テープ７１上に、記録されるべき情報が記録された複数の記録トラックが形成される。
【００９９】
斯かる光テープ７１に対する情報の記録は、図８に示される光テープ４７の場合と同様に、光テープ７１上に、各々が光テープ７１の走行方向に沿って伸びる、光テープ７１に入射する変調レーザ光ビームの数ｎに応じた複数の平行な記録トラックＣＨ１，ＣＨ２，ＣＨ３，・・・，ＣＨｎが形成されるもとで行われる。複数の記録トラックＣＨ１〜ＣＨｎの夫々は、それに対応するレーザ光ビームの変調状態に応じた記録パターンを有するものとされる。
【０１００】
このような変調制御信号ＳＭＤに応じて変調された複数のレーザ光ビームによる光テープ７１に対する情報の記録が行われるにあたり、光テープ７１に入射する線状に配列配置された複数のレーザ光ビームの配列方向が、光テープ７１の走行方向に対して予め定められた所定の角度をとるものとして設定される。例えば、光テープ７１に入射する線状に配列配置された複数のレーザ光ビームの配列方向が光テープ７１の走行方向に対して直交するものとされる場合には、複数の記録トラックＣＨ１〜ＣＨｎをもって記録される情報は、記録トラック間位相差を有さないものとされる。それに対して、光テープ７１に入射する線状に配列配置された複数のレーザ光ビームの配列方向が光テープ７１の走行方向に対して特定の角度をなすものとされる場合には、複数の記録トラックＣＨ１〜ＣＨｎをもって記録される情報は、特定の角度に応じた一定の記録トラック間位相差を有するものとされることになる。
【０１０１】
一方、図１２に示される光テープ記録再生装置の例において、光テープ７１に記録された情報の再生が行われる際には、変調制御信号送出部６７から予め設定された複数の変調制御信号ＳＮＭが送出され、それらが一次元光変調部６６における複数の反射型光変調器に夫々供給される。それにより、一次元光変調部６６から、その共通平面部に線状に配列配置された複数の反射型光変調器において、変調されることなく、一定の反射量をもって反射した複数のレーザ光ビームが、集光レンズ６５に向かうものとして得られる。
【０１０２】
一次元光変調部６６から得られる変調されていない複数のレーザ光ビームは、集光レンズ６５，１／４波長板６４，偏光ビームスプリッタ６３，１／４波長板６８を経て、ビーム制御を行う光学系６９に到達し、光学系６９によるフォーカス制御及びトラッキング制御を受けるもとで光テープ７１に入射する。斯かる際には、光テープ７１には、図８に示される光テープ４７におけるものと同様な、光テープ７１の走行方向に沿って伸びる複数の平行な記録トラックＣＨ１，ＣＨ２，ＣＨ３，・・・，ＣＨｎが、夫々に情報が記録されたものとして形成されている。そして、光ビーム制御を行う光学系６９によって、複数のレーザ光ビームの光テープ７１における入射位置が、複数の記録トラックＣＨ１，ＣＨ２，ＣＨ３，・・・，ＣＨｎに夫々適正に合致するものとされる。
【０１０３】
入射位置が、光テープ７１に形成された複数の記録トラックＣＨ１，ＣＨ２，ＣＨ３，・・・，ＣＨｎに夫々適正に合致するものとされる複数のレーザ光ビームの各々は、複数の記録トラックＣＨ１，ＣＨ２，ＣＨ３，・・・，ＣＨｎの夫々において、そこに記録された情報に応じて変調されるとともに反射し、光テープ７１から光学系６９に向かうものとして得られる。光テープ７１から得られる光テープ７１に記録された情報に応じて変調された複数のレーザ光ビームは、光学系６９及び１／４波長板６８を通過し、偏光ビームスプリッタ６３において反射し、光ビームスプリッタ７２によって、光学素子７３を通じてフォーカス・トラッキング検出部７４に分割入射するとともに、光学素子７５を通じて光検出部７６に分割入射するものとされる。
【０１０４】
それにより、フォーカス・トラッキング検出部７４からは、光テープ７１に入射する複数のレーザ光ビームについてのフォーカス状態をあらわす出力信号ＳＦ及びトラッキング状態をあらわす出力信号ＳＴが得られ、また、光検出部７６からは、光テープ７１に記録された情報に応じて変調された複数のレーザ光ビームの夫々の変化に応じて変化する複数の出力信号ＳＩＮが得られて、それらが情報再生部７７に供給される。その結果、情報再生部７７において、光検出部７６からの複数の出力信号ＳＩＮに基づき、光テープ７１に記録された情報が再生される。
【０１０５】
上述の如くの図１２に示される情報記録再生装置の例にあっては、一次元光変調部６６が用いられて、記録されるべき情報に基づく変調制御信号ＳＭＤに応じて変調された複数のレーザ光ビームが、線状の配列配置、即ち、実質的に共通面内に配されることになる配列配置をもって形成され、それらが光テープ７１に入射するものとされるので、光テープ７１に対する無接触情報記録を行うことができ、しかも、複数のレーザ光ビームを透過もしくは反射させる複数の光学手段の位置関係についての設定及び維持における困難さが軽減されることになるとともに、複数の光ビームの利用率の改善が図られる。さらに、光テープ７１から再生すべき情報が、記録されるべき情報に基づく変調制御信号に応じて変調されて線状に配列配置される複数のレーザ光ビームによって光テープ７１に記録されたものとされるので、光テープ７１に記録された情報の再生が、複雑な信号処理が要されることなく、比較的容易に行われることになる。
【０１０６】
図１３は、本願の特許請求の範囲における請求項１６から請求項１８までのいずれかに記載された発明に係る情報記録再生装置の一例の要部を示す。この図１３に示される情報記録再生装置の例も、光記録媒体としてテープ状光記録媒体、即ち、光テープを用い、光テープに対する情報の記録及び再生を行うものとされている。
【０１０７】
図１３に示される情報記録再生装置の一例の要部は、図１２に示される本願の特許請求の範囲における請求項１３から請求項１５までのいずれかに記載された発明に係る情報記録再生装置の一例の要部と同様の構成要素をもって構成されており、図１３にあっては、そこに示される情報記録再生装置の一例の要部の各部及び信号が、図１２に示される情報記録再生装置の一例の要部における対応する部分及び信号と共通の符号が付されてあらわされていて、それらについての重複説明は省略される。
【０１０８】
図１３に示される情報記録再生装置の例は、図１２に示される情報記録再生装置の例とは、偏光ビームスプリッタ６３の偏光特性と、１／４波長板６４，集光レンズ６５，一次元光変調部６６及び変調制御信号送出部６７を含む部分、及び、光ビームスプリッタ７２，光学素子７３，フォーカス・トラッキング検出部７４，光学素子７５，光検出部７６及び情報再生部７７を含む部分の配置関係と、が異なるものとされている。
【０１０９】
そして、図１３に示される情報記録再生装置の例にあっては、レーザ光源６１から発して光学系６２を通じて、偏光ビームスプリッタ６３に入射するレーザ光ビームが、偏光ビームスプリッタ６３を透過して進み、１／４波長板６４及び集光レンズ６５を通じて一次元光変調部６６に入射する。また、一次元光変調部６６からの、一次元光変調部６６における線状に配列配置された複数の反射型光変調器において、記録されるべき情報に応じて変調されるとともに反射した複数のレーザ光ビーム、もしくは、一次元光変調部６６において変調されることなく一定の反射量をもって反射した複数のレーザ光ビームが、集光レンズ６５及び１／４波長板６４を通じて偏光ビームスプリッタ６３に入射し、偏光ビームスプリッタ６３において図１３における上方に反射して、１／４波長板６８及びビーム制御を行う光学系６９を通じて、光テープ７１に入射する。
【０１１０】
さらに、光テープ７１からの、光テープ７１に記録された情報に応じて変調された複数のレーザ光ビームが、光学系６９及び１／４波長板６８を通じて偏光ビームスプリッタ６３に入射し、偏光ビームスプリッタ６３を透過して進んで光ビームスプリッタ７２に入射して、その一部が、光ビームスプリッタ７２において図１３における左方に反射され、光学素子７３を通じてフォーカス・トラッキング検出部７４に入射するとともに、他の一部が、光ビームスプリッタ７２を透過して、光学素子７５を通じて光検出部７６に入射する。
【０１１１】
このようなもとで、一次元光変調部６６，変調制御信号送出部６７，光学系６９，フォーカス・トラッキング検出部７４及び情報再生部７７等の夫々における動作は、図１２に示される情報記録再生装置の例の場合と同様である。それゆえ、図１３に示される情報記録再生装置の例により得られる作用効果も、図１２に示される情報記録再生装置の例の場合と同様である。
【０１１２】
図１４は、本願の特許請求の範囲における請求項１９から請求項２１までのいずれかに記載された発明に係る情報記録再生装置の一例の要部を示す。この図１４に示される情報記録再生装置の例も、光記録媒体としてテープ状光記録媒体、即ち、光テープを用い、光テープに対する情報の記録及び再生を行うものとされている。
【０１１３】
図１４に示される情報記録再生装置の一例の要部も、図１２に示される本願の特許請求の範囲における請求項１３から請求項１５までのいずれかに記載された発明に係る情報記録再生装置の一例の要部と同様の構成要素をもって構成されており、図１４にあっては、そこに示される情報記録再生装置の一例の要部の各部及び信号が、図１２に示される情報記録再生装置の一例の要部における対応する部分及び信号と共通の符号が付されてあらわされていて、それらについての重複説明は省略される。
【０１１４】
図１４に示される情報記録再生装置の例にあっては、レーザ光源６１から発して光学系６２を通じたレーザ光ビームが、直接に、一次元光変調部６６に入射する。斯かる光学系６２から直接に一次元光変調部６６に入射するレーザ光ビームは、レーザ光源６１及び光学系６２の構成に応じて、例えば、長円形の断面を有した単一のレーザ光ビーム、もしくは、線状に配列配置されたもの、換言すれば、実質的に共通面内に配列配置されたものとされる複数のレーザ光ビームとされる。
【０１１５】
そして、一次元光変調部６６に入射するレーザ光ビームが、長円形の断面を有した単一のレーザ光ビームである場合には、単一のレーザ光ビームが、その長円形の断面の長軸方向が、一次元光変調部６６における線状に配列配置された複数の反射型光変調器の配列方向に一致する状態とされる。それにより、一次元光変調部６６において、線状に配列配置された複数の反射型光変調器の全体を照射するように、レーザ光ビームによる長円形の光スポットが形成される。
【０１１６】
また、一次元光変調部６６に入射するレーザ光ビームが、線状に配列配置されたもの、換言すれば、実質的に共通面内に配列配置されたものとされる複数のレーザ光ビームである場合には、複数のレーザ光ビームが、その配列方向を一次元光変調部６６における線状に配列配置された複数の反射型光変調器の配列方向に一致する状態とされて、複数の反射型光変調器に入射する。それにより、一次元光変調部６６において、線状に配列配置された複数の反射型光変調器を照射するようにして、複数のレーザ光ビームによる複数の光スポットが形成される。
【０１１７】
それにより、一次元光変調部６６における複数の反射型光変調器の各々は、変調制御信号送出部６７から記録されるべき情報に基づく複数の変調制御信号ＳＭＤが供給されるとき、線状に配列配置された複数の反射型光変調器の全体を照射する長円形の光スポットを形成して入射するレーザ光ビーム、もしくは、線状に配列配置された複数の反射型光変調器を照射する複数の光スポットを形成して入射する複数のレーザ光ビームを、変調制御信号ＳＭＤに応じて変調するとともに反射させる。
【０１１８】
また、一次元光変調部６６における複数の反射型光変調器の各々は、変調制御信号送出部６７から予め設定された複数の変調制御信号ＳＮＭが供給されるとき、線状に配列配置された複数の反射型光変調器の全体を照射する長円形の光スポットを形成して入射するレーザ光ビーム、もしくは、線状に配列配置された複数の反射型光変調器を照射する複数の光スポットを形成して入射する複数のレーザ光ビームを、変調することなく一定の反射量をもって反射させる。
【０１１９】
その結果、一次元光変調部６６からは、その共通平面部に線状に配列配置された複数の反射型光変調器において夫々変調制御信号ＳＭＤに応じて変調されるとともに反射した複数のレーザ光ビーム、もしくは、その共通平面部に線状に配列配置された複数の反射型光変調器において夫々変調されることなく反射した複数のレーザ光ビームが、複数の反射型光変調器の配列配置に応じて線状に配列配置されたもの、換言すれば、実質的に共通面内に配列配置されたものとして得られ、集光レンズ６５に向かって導出される。
【０１２０】
図１４に示される情報記録再生装置の例におけるその他の構成及び動作については、前述の図１２に示される情報記録再生装置の例の場合と同様である。それゆえ、図１４に示される情報記録再生装置の例により得られる作用効果も、図１２に示される情報記録再生装置の例の場合と同様である。
【０１２１】
【発明の効果】以上の説明から明らかな如く、本願の特許請求の範囲における請求項１から請求項１０までのいずれかに記載された情報記録装置にあっては、複数の光変調手段が線状に配列配置されて成る一次元光変調部が用いられて、記録されるべき情報に基づく変調制御信号に応じて変調された複数の光ビームが、複数の光変調手段の配列配置に応じた配列配置、即ち、実質的に共通面内に配されることになる配列配置をもって形成され、それらが記録媒体駆動制御部により駆動される光記録媒体に入射するものとされるので、光記録媒体に対する無接触情報記録を行うことができ、しかも、複数の光ビームを透過もしくは反射させる複数の光学手段の位置関係についての設定及び維持における困難さが軽減されることになるとともに、複数の光ビームの利用率の改善が図られる。
【０１２２】
さらに、光記録媒体における記録されるべき情報の記録が、記録されるべき情報に基づく変調制御信号に応じて変調されて、実質的に共通面内に配列配置されることになる複数の光ビームが光記録媒体に入射して、光記録媒体上に線状に配列配置される光スポットが形成されるもとで行われることにより、光ビームが記録媒体駆動制御部により駆動される光記録媒体に入射するものとされて、光記録媒体に記録された情報が再生される場合、光記録媒体からの情報の再生が、複雑な信号処理が要されることなく、比較的容易に行われることになる。
【０１２３】
本願の特許請求の範囲における請求項１１または請求項１２に記載された情報記録再生装置にあっては、複数の光変調手段が線状に配列配置されて成る一次元変調部が用いられて、第１の光源部からの光ビームに基づく、記録されるべき情報に基づく変調制御信号に応じて変調された複数の光ビームが、複数の光変調手段の配列配置に応じた配列配置、即ち、実質的に共通面内に配されることになる配列配置をもって形成され、それらが記録媒体駆動制御部により駆動される光記録媒体に入射するものとされるので、光記録媒体に対する無接触情報記録を行うことができ、しかも、複数の光ビームを透過もしくは反射させる複数の光学手段の位置関係についての設定及び維持における困難さが軽減されることになるとともに、複数の光ビームの利用率の改善が図られる。
【０１２４】
さらに、光記録媒体における記録されるべき情報の記録が、記録されるべき情報に基づく変調制御信号に応じて変調されて、実質的に共通面内に配列配置されることになる複数の光ビームが光記録媒体に入射することにより、光記録媒体上に線状に配列配置される光スポットが形成されるもとで行われることにより、例えば、第２の光源部からの光ビームが、記録媒体駆動制御部により駆動される光記録媒体に入射するものとされて行われる、光記録媒体に記録された情報の再生が、複雑な信号処理が要されることなく、比較的容易に行われ得ることになる。
【０１２５】
本願の特許請求の範囲における請求項１３から請求項２１までのいずれかに記載された情報記録再生装置にあっては、複数の反射型光変調手段が線状に配列配置されて成る一次元光変調部が用いられて、光源部からの光ビームに基づく、記録されるべき情報に基づく変調制御信号に応じて変調された複数の光ビーム、もしくは、変調を受けないものとされた複数の光ビームが、複数の反射型光変調手段の配列配置に応じた配列配置、即ち、実質的に共通面内に配されることになる配列配置をもって形成され、それらが記録媒体駆動制御部により駆動される光記録媒体に入射するものとされるので、光記録媒体に対する無接触情報記録、もしくは、光記録媒体からの無接触情報再生を行うことができ、しかも、複数の光ビームを透過もしくは反射させる複数の光学手段の位置関係についての設定及び維持における困難さが軽減されることになるとともに、複数の光ビームの利用率の改善が図られる。
【０１２６】
さらに、光記録媒体における記録されるべき情報の記録が、記録されるべき情報に基づく変調制御信号に応じて変調されて、実質的に共通面内に配列配置されることになる複数の光ビームが光記録媒体に入射することにより、光記録媒体上に線状に配列配置される光スポットが形成されるもとで行われるので、変調を受けないものとされて実質的に共通面内に配列配置されることになる複数の光ビームが、記録媒体駆動制御部により駆動される光記録媒体に入射するものとされて行われる、光記録媒体に記録された情報の再生が、複雑な信号処理が要されることなく、比較的容易に行われ得ることになる。
【図面の簡単な説明】
【図１】本願の特許請求の範囲における請求項１から請求項１０までのいずれかに記載された発明に係る情報記録装置の一例の要部を示すブロック接続図である。
【図２】図１に示される情報記録装置の例における一次元光変調部の構成例を示す図である。
【図３】図１に示される情報記録装置の例におけるレーザ光源及びレーザ光源からのレーザ光ビームが入射する光学系についての一構成例を示す図である。
【図４】図３に示されるレーザ光源及び光学系についての構成例の説明に供される概念である。
【図５】図１に示される情報記録装置の例におけるレーザ光源及びレーザ光源からのレーザ光ビームが入射する光学系についての他の構成例を示す図である。
【図６】図５に示されるレーザ光源及び光学系についての構成例におけるレーザ光源の具体構成例を示す図である。
【図７】図５に示されるレーザ光源及び光学系についての構成例の説明に供される概念である。
【図８】図１に示される情報記録装置の例による光テープに対する情報記録の説明に供される概念図である。
【図９】図１に示される情報記録装置の例による光テープに対する情報記録の説明に供される概念図である。
【図１０】図１に示される情報記録装置の例による光テープに対する情報記録の説明に供される概念図である。
【図１１】本願の特許請求の範囲における請求項１１または請求項１２に記載された発明に係る情報記録再生装置の一例の要部を示すブロック接続図である。
【図１２】本願の特許請求の範囲における請求項１３から請求項１５までのいずれかに記載された発明に係る情報記録再生装置の一例の要部を示すブロック接続図である。
【図１３】本願の特許請求の範囲における請求項１６から請求項１８までのいずれかに記載された発明に係る情報記録再生装置の一例の要部を示すブロック接続図である。
【図１４】本願の特許請求の範囲における請求項１９から請求項２１までのいずれかに記載された発明に係る情報記録再生装置の一例の要部を示すブロック接続図である。
【図１５】従来提案されている光テープ記録再生装置の一例の要部を示すブロック接続図である。
【図１６】図１５に示される従来提案されている光テープ記録再生装置の例における二次元光変調部の説明に供される概念図である。
【図１７】図１５に示される従来提案されている光テープ記録再生装置の例における二次元光変調部の説明に供される概念図である。
【図１８】図１５に示される従来提案されている光テープ記録再生装置の例における二次元光変調部の説明に供される概念図である。
【図１９】図１５に示される従来提案されている光テープ記録再生装置の例による光テープに対する情報記録の説明に供される概念図である。
【図２０】従来提案されている光テープ記録再生装置の他の例における二次元レーザダイオードアレイを示す概念図である。
【図２１】図２０に示される二次元レーザダイオードアレイが用いられた従来提案されている光テープ記録再生装置による光テープに対する情報記録の説明に供される概念図である。
【図２２】図２０に示される二次元レーザダイオードアレイが用いられた従来提案されている光テープ記録再生装置による光テープに対する情報記録の説明に供される概念図である。
【符号の説明】
２１，５５，６１・・・レーザ光源，　２２，４５，５６，５７，６２，６９・・・光学系，　２３，６６・・・一次元光変調部，　２５・・・反射型光変調器，　３０，４３・・・レーザダイオード，　３１・・・シリンドリカルレンズ，　３５，６７・・・変調制御信号送出部，　４０・・・一次元ダイオードアレイ，　４６，５２，７０・・・記録媒体駆動制御部，　４７，５３，７１・・・光テープ，　５０・・・情報記録部，　５１，５９，７７・・・情報再生部，　５８，７６・・・光検出部，　６３・・・偏光ビームスプリッタ，　６４，６８・・・１／４波長板，　７２・・・光ビームスプリッタ，　７３，７５・・・光学素子，　７４・・・フォーカス・トラッキング検出部
【図１】
2004054982.tif 000003
【図２】
2004054982.tif 000004
【図３】
2004054982.tif 000005
【図４】
2004054982.tif 000006
【図５】
2004054982.tif 000007
【図６】
2004054982.tif 000008
【図７】
2004054982.tif 000009
【図８】
2004054982.tif 000010
【図９】
2004054982.tif 000011
【図１０】
2004054982.tif 000012
【図１１】
2004054982.tif 000013
【図１２】
2004054982.tif 000014
【図１３】
2004054982.tif 000015
【図１４】
2004054982.tif 000016
【図１５】
2004054982.tif 000017
【図１６】
2004054982.tif 000018
【図１７】
2004054982.tif 000019
【図１８】
2004054982.tif 000020
【図１９】
2004054982.tif 000021
【図２０】
2004054982.tif 000022
【図２１】
2004054982.tif 000023
【図２２】
2004054982.tif 000024